(57)【要約】【課題】制御弁を風通路に配置することなく熱交換効率の低下を防止でき、ケーシングの小型化が図れる空気調和機の室内機を提供する。【解決手段】ケーシング(３,４)と、上記ケーシング(３,４)内に配置された室内熱交換器と、上記ケーシング(３,４)内かつ室内熱交換器の一側方に配置された２つの第１,第２電磁弁１７Ａ,１７Ｂとを備える。上記室内熱交換器は、第１熱交換部１６Ａ,１６Ｂと第２熱交換部１８Ａ,１８Ｂとを有し、その第１熱交換部１６Ａ,１６Ｂと第２熱交換部１８Ａ,１８Ｂとの間を接続する配管に第１,第２電磁弁１７Ａ,１７Ｂを夫々配設する。【選択図】図２
2007147216.tif 000002
【特許請求の範囲】
【請求項１】
ケーシング(３,４)と、
上記ケーシング(３,４)内に配置された室内熱交換器(１６,１８)と、
上記ケーシング(３,４)内かつ上記室内熱交換器(１６,１８)の一側方に配置された２つの第１,第２制御弁(１７Ａ,１７Ｂ)と
を備えたことを特徴とする空気調和機の室内機。
【請求項２】
請求項１に記載の空気調和機の室内機において、
上記室内熱交換器(１６,１８)は、第１熱交換部(１６)と第２熱交換部(１８)とを有し、
上記第１,第２制御弁(１７Ａ,１７Ｂ)は、上記第１熱交換部(１６)と上記第２熱交換部(１８)との間を接続する配管に夫々配設されていることを特徴とする空気調和機の室内機。
【請求項３】
請求項１または２に記載の空気調和機の室内機において、
上記第１,第２制御弁(１７Ａ,１７Ｂ)は、夫々、
互いに略直交する方向に向いた第１ポート(６５)および第２ポート(６６)と、
上記第１ポート(６５)と上記第２ポート(６６)との間にある弁体(５２)と、
上記第１ポート(６５)の向いた方向と逆方向に延びて上記弁体(５２)を駆動する駆動部(５１)と
を備えたことを特徴とする空気調和機の室内機。
【請求項４】
請求項１または２に記載の空気調和機の室内機において、
上記第１,第２制御弁(１７Ａ,１７Ｂ)は、夫々、
弁体(５２)とその弁体(５２)を駆動する駆動部(５１)とを有し、上記弁体(５２)と上記駆動部(５１)の配列方向に長い形状の弁本体と、
上記弁本体の上記弁体(５２)に対して上記駆動部(５１)と反対の側に設けられ、上記弁本体の長手方向に向いた第１ポート(６５)と、
上記弁本体に設けられ、上記弁本体の長手方向に対して略直角な方向に向いた第２ポート(６６)と
を備えたことを特徴とする空気調和機の室内機。
【請求項５】
請求項３,４に記載の空気調和機の室内機において、
上記第１制御弁(１７Ａ)の上記第２ポート(６６)と上記第２制御弁(１７Ｂ)の上記第２ポート(６６)とは、逆方向かつ内側に向いており、上記第１制御弁(１７Ａ)に接続された上記第２パイプ部(６３)と上記第２制御弁(１７Ｂ)に接続された上記第２パイプ部(６３)とが互いに干渉しないことを特徴とする空気調和機の室内機。
【請求項６】
請求項５に記載の空気調和機の室内機において、
上記第１,第２制御弁(１７Ａ,１７Ｂ)は、上記第１制御弁(１７Ａ)の上記第２ポート(６６)が向いている方向と、上記第２制御弁(１７Ｂ)の上記第２ポート(６６)が向いている方向とが略平行になるように、上記ケーシング(３,４)内に夫々配置されていることを特徴とする空気調和機の室内機。
【請求項７】
請求項３または４に記載の空気調和機の室内機において、
上記第１制御弁(１７Ａ)に接続された上記第１パイプ部(６２)は、上記第１ポート(６５)の上記近傍部分から上記第１制御弁(１７Ａ)の上記第１ポート(６５)が向いている方向に対して略直角な方向に屈曲した屈曲部分を有し、
上記第２制御弁(１７Ｂ)に接続された上記第１パイプ部(６２)は、上記第２制御弁(１７Ｂ)の上記第１ポート(６５)が向いている方向に対して略直角な方向に屈曲した屈曲部分を有することを特徴とする空気調和機の室内機。
【請求項８】
請求項７に記載の空気調和機の室内機において、
上記第１制御弁(１７Ａ)に接続された上記第１パイプ部(６２)の上記屈曲部分からさらに延びる上記延長部分と上記第２制御弁(１７Ｂ)に接続された上記第１パイプ部(６２)の上記屈曲部分からさらに延びる上記延長部分とは、逆方向かつ内側に向いており、上記第１制御弁(１７Ａ)に接続された上記第１パイプ部(６２)と上記第２制御弁(１７Ｂ) に接続された上記第１パイプ部(６２)とが互いに干渉しないことを特徴とする空気調和機の室内機。
【請求項９】
請求項８に記載の空気調和機の室内機において、
上記第１制御弁(１７Ａ)の上記第１パイプ部(６２)の上記屈曲部分からさらに延びる上記延長部分と、上記第２制御弁(１７Ｂ)の上記第１パイプ部(６２) の上記屈曲部分からさらに延びる上記延長部分とが略平行であることを特徴とする空気調和機の室内機。
【請求項１０】
請求項３乃至９のいずれか１つに記載の空気調和機の室内機において、
上記第１制御弁(１７Ａ)の上記駆動部(５１)によって駆動される上記弁体(５２)の駆動方向と、上記第２制御弁(１７Ｂ)の上記駆動部(５１)によって駆動される上記弁体(５２)の駆動方向が略平行であることを特徴とする空気調和機の室内機。
【請求項１１】
請求項３乃至１１のいずれか１つに記載の空気調和機の室内機において、
上記ケーシング(３,４)の据付状態における正面視の前後方向に沿って、上記第１,第２制御弁(１７Ａ,１７Ｂ)を配列していることを特徴とする空気調和機の室内機。
【発明の詳細な説明】
【技術分野】
【０００１】
この発明は、空気調和機の室内機に関する。
【背景技術】
【０００２】
従来、空気調和機の室内機としては、室内熱交換器が複数の熱交換部に分割され、各熱交換部への冷媒の流れを制御する複数の制御弁が設けられたものがある(例えば、特開平８−６８５６８号公報(特許文献１)参照)。
【０００３】
上記複数の制御弁が設けられた空気調和機の室内機において、室内機の外形が大きくなるという問題がある。空気調和機の室内機のケーシングは、室内に配置されるので、できるだけ小さいことが望ましいが、ケーシング内に配置される制御弁の数が多くなると、このような複数の制御弁の収納空間を確保するために、ケーシングを大きくしなければならないという問題がある。
【０００４】
そこで、本出願人は、複数の制御弁を備えながらもケーシングの小型化が可能な空気調和機の室内機を提案している。この空気調和機の室内機は、複数の制御弁を、ケーシングと室内熱交換器との間でかつ室内熱交換器の後方に室内熱交換器の長手方向に距離を隔てて配置している。これにより、複数の制御弁を備えつつ小型化を図っている。なお、この空気調和機の室内機は、この発明を理解しやすくするために説明するものであって、公知技術ではなく、従来技術ではない。
【０００５】
しかしながら、このような複数の制御弁を備えつつケーシングの小型化できる空気調和機の室内機では、複数の制御弁が風通路に配置されるので、室内から吸い込まれた空気が室内熱交換器を介して送風ファンにより室内に吹き出す流路の損失が大きくなり、熱交換効率が低下するという問題がある。
【特許文献１】特開平８−６８５６８号公報
【発明の開示】
【発明が解決しようとする課題】
【０００６】
そこで、この発明の目的は、制御弁を風通路に配置することなく熱交換効率の低下を防止でき、ケーシングの小型化が図れる空気調和機の室内機を提供することにある。
【課題を解決するための手段】
【０００７】
上記目的を達成するため、この発明の空気調和機の室内機は、
ケーシングと、
上記ケーシング内に配置された室内熱交換器と、
上記ケーシング内かつ上記室内熱交換器の一側方に配置された２つの第１,第２制御弁と
を備えたことを特徴とする。
【０００８】
上記構成の空気調和機の室内機によれば、上記ケーシング内かつ室内熱交換器の一側方に２つの第１,第２制御弁を配置することによって、制御弁を風通路に配置することなく熱交換効率の低下を防止でき、ケーシングの小型化を図ることができる。ここで、上記第１,第２制御弁は、開閉弁であってもよいし、膨張弁であってもよい。
【０００９】
また、一実施形態の空気調和機の室内機は、
上記室内熱交換器は、第１熱交換部と第２熱交換部とを有し、
上記第１,第２制御弁は、上記第１熱交換部と上記第２熱交換部との間を接続する配管に夫々配設されている。
【００１０】
上記実施形態の空気調和機の室内機によれば、上記第１熱交換部と第２熱交換部との間を接続する配管に夫々配設された第１,第２制御弁を開閉することによって、第１熱交換部と第２熱交換部の冷媒の流れを制御したり、第１熱交換部と第２熱交換部との間で減圧したりすることが可能になる。
【００１１】
また、一実施形態の空気調和機の室内機は、
互いに略直交する方向に向いた第１ポートおよび第２ポートと、
上記第１ポートと上記第２ポートとの間にある弁体と、
上記第１ポートの向いた方向と逆方向に延びて上記弁体を駆動する駆動部と
を備え、
上記第１ポートに連なる第１パイプ部の上記第１ポートの近傍部分と、上記第２ポートに連なる第２パイプ部の上記第２ポートの近傍部分と、上記駆動部とは、略Ｔ字形状をしている。
【００１２】
上記実施形態の空気調和機の室内機によれば、互いに略直交する方向に向いた第１ポートおよび第２ポートと、上記第１ポートと第２ポートとの間にある弁体と、上記第１ポートの向いた方向と逆方向に延びて弁体を駆動する駆動部とを有する略Ｔ字形状の第１,第２制御弁を用いることによって、同一方向に向いた第１,第２ポートを設けた場合に比べて第１,第２制御弁に接続する配管の自由度を広げることができる。
【００１３】
また、一実施形態の空気調和機の室内機は、
上記第１,第２制御弁は、夫々、
弁体とその弁体を駆動する駆動部とを有し、上記弁体と上記駆動部の配列方向に長い形状の弁本体と、
上記弁本体の上記弁体に対して上記駆動部と反対の側に設けられ、上記弁本体の長手方向に向いた第１ポートと、
上記弁本体に設けられ、上記弁本体の長手方向に対して略直角な方向に向いた第２ポートと
を備え、
上記弁本体と、上記第１ポートに連なる第１パイプ部の上記第１ポートの近傍部分と、上記第２ポートに連なる第２パイプ部の上記第２ポートの近傍部分とは、略Ｔ字形状をしている。
【００１４】
上記実施形態の空気調和機の室内機によれば、上記弁本体と、第１ポートに連なる第１パイプ部の第１ポートの近傍部分と、第２ポートに連なる第２パイプ部の第２ポートの近傍部分とが略Ｔ字形状の第１,第２制御弁を用いることによって、第１,第２制御弁に接続する配管の自由度を広げることができる。
【００１５】
また、一実施形態の空気調和機の室内機は、上記第１制御弁の上記第２ポートと上記第２制御弁の上記第２ポートとは、逆方向かつ内側に向いており、上記第１制御弁に接続された上記第２パイプ部と上記第２制御弁に接続された上記第２パイプ部とが互いに干渉しない。
【００１６】
上記実施形態の空気調和機の室内機によれば、上記第１制御弁の第２ポートと第２制御弁の第２ポートとは、逆方向かつ内側に向いており、第１制御弁に接続された第２パイプ部と第２制御弁に接続された第２パイプ部とが互いに干渉しないようにすることによって、第１,第２制御弁の夫々の第２ポートに連なる第２パイプ部同士を近接させることが可能となり、全体に占めるスペースをより小さくできる。
【００１７】
また、一実施形態の空気調和機の室内機は、上記第１,第２制御弁が、上記第１制御弁の上記第２ポートが向いている方向と、上記第２制御弁の上記第２ポートが向いている方向とが略平行になるように、上記ケーシング内に夫々配置されている。
【００１８】
上記実施形態の空気調和機の室内機によれば、上記第１制御弁の第２ポートが向いている方向と、第２制御弁の上記第２ポートが向いている方向とが略平行になるように、ケーシング内に第１,第２制御弁が夫々配置されていることによって、第１,第２制御弁の夫々の第２ポートに連なる第２パイプ部が占めるスペースをより小さくできる。
【００１９】
また、一実施形態の空気調和機の室内機は、
上記第１制御弁に接続された上記第１パイプ部が、上記第１ポートの上記近傍部分から上記第１制御弁の上記第１ポートが向いている方向に対して略直角な方向に屈曲した屈曲部分を有し、
上記第２制御弁に接続された上記第１パイプ部が、上記第２制御弁の上記第１ポートが向いている方向に対して略直角な方向に屈曲した屈曲部分を有する。
【００２０】
上記実施形態の空気調和機の室内機によれば、上記第１,第２制御弁の夫々に接続された第１パイプ部が、第１ポートの近傍部分から第１制御弁の第１ポートが向いている方向に対して略直角な方向に屈曲した屈曲部分を有することによって、第１,第２制御弁の夫々の第１ポートに連なる第１パイプ部の屈曲部分とそれに続く部分を、室内熱交換器の一側方の限られたスペースに容易に配設できる。
【００２１】
また、一実施形態の空気調和機の室内機は、上記第１制御弁に接続された上記第１パイプ部の上記屈曲部分からさらに延びる上記延長部分と上記第２制御弁に接続された上記第１パイプ部の上記屈曲部分からさらに延びる上記延長部分とは、逆方向かつ内側に向いており、上記第１制御弁に接続された上記第１パイプ部と上記第２制御弁に接続された上記第１パイプ部とが互いに干渉しない。
【００２２】
上記実施形態の空気調和機の室内機によれば、上記第１制御弁に接続された第１パイプ部の屈曲部分からさらに延びる延長部分と上記第２制御弁に接続された第１パイプ部の屈曲部分からさらに延びる延長部分とは、逆方向かつ内側に向いており、第１制御弁に接続された第１パイプ部と第２制御弁に接続された第１パイプ部とが互いに干渉しないようにすることによって、第１,第２制御弁の夫々の第１ポートに接続される第１パイプ部の屈曲部分とその屈曲部分からさらに延びる延長部分を近接させることが可能となり、全体に占めるスペースをより小さくできる。
【００２３】
また、一実施形態の空気調和機の室内機は、上記第１制御弁の上記第１パイプ部の上記屈曲部分からさらに延びる上記延長部分と、上記第２制御弁の上記第１パイプ部の上記屈曲部分からさらに延びる上記延長部分とが略平行である。
【００２４】
上記実施形態の空気調和機の室内機によれば、上記第１制御弁の第１パイプ部の屈曲部分からさらに延びる延長部分と、上記第２制御弁の第１パイプ部の屈曲部分からさらに延びる延長部分とが略平行になるようにすることによって、第１,第２制御弁の夫々の第１パイプ部が占めるスペースをより小さくできる。
【００２５】
また、一実施形態の空気調和機の室内機は、上記第１制御弁の上記駆動部によって駆動される上記弁体の駆動方向と、上記第２制御弁の上記駆動部によって駆動される上記弁体の駆動方向が略平行である。
【００２６】
上記実施形態の空気調和機の室内機によれば、上記第１制御弁の駆動部によって駆動される弁体の駆動方向と、上記第２制御弁の駆動部によって駆動される弁体の駆動方向が略平行になるようにすることによって、第１,第２制御弁の夫々の本体(駆動部,弁体を含む)を近接させることで、全体に占めるスペースをより小さくできる。
【００２７】
また、一実施形態の空気調和機の室内機は、上記ケーシングの据付状態における正面視の前後方向に沿って、上記第１,第２制御弁を配列している。
【００２８】
上記実施形態の空気調和機の室内機によれば、上記ケーシングの据付状態における正面視の前後方向に沿って、第１,第２制御弁をケーシング内に配列することによって、室内熱交換器の一側方の限られたスペースを有効に利用して２つの第１,第２制御弁を配置することができる。
【発明の効果】
【００２９】
以上より明らかなように、この発明の空気調和機の室内機によれば、制御弁を風通路に配置することなく熱交換効率の低下を防止でき、ケーシングの小型化が可能な空気調和機の室内機を実現することができる。
【００３０】
また、一実施形態の空気調和機の室内機によれば、上記第１熱交換部と第２熱交換部との間を接続する配管に夫々配設された第１,第２制御弁を開閉することによって、第１熱交換部と第２熱交換部の冷媒の流れを制御したり、第１熱交換部と第２熱交換部との間で減圧したりすることができ、室内熱交換器の能力制御が可能となる。
【００３１】
また、一実施形態の空気調和機の室内機によれば、互いに略直交する方向に向いた第１ポートおよび第２ポートと、上記第１ポートと第２ポートとの間にある弁体と、上記第１ポートの向いた方向と逆方向に延びて弁体を駆動する駆動部とを有する略Ｔ字形状の第１,第２制御弁を用いることによって、同一方向に向いた第１,第２ポートを設けた場合に比べて第１,第２制御弁に接続する配管の自由度を広げることができる。
【００３２】
また、一実施形態の空気調和機の室内機によれば、上記弁体とその弁体を駆動する駆動部の配列方向に長い形状の弁本体と、第１ポートに連なる第１パイプ部の第１ポートの近傍部分と、第２ポートに連なる第２パイプ部の第２ポートの近傍部分とが略Ｔ字形状である第１,第２制御弁を用いることによって、第１,第２制御弁に接続する配管の自由度を広げることができる。
【００３３】
また、一実施形態の空気調和機の室内機によれば、上記第１制御弁の第２ポートと第２制御弁の第２ポートとは、逆方向かつ内側に向いているが、同一直線上になくて、第１制御弁に接続された第２パイプ部と第２制御弁に接続された第２パイプ部とが互いに干渉しないようにすることによって、第１,第２制御弁の夫々の第２ポートに連なる第２パイプ部同士を近接させることが可能となり、全体に占めるスペースをより小さくすることができる。
【００３４】
また、一実施形態の空気調和機の室内機によれば、上記第１制御弁の第２ポートが向いている方向と、第２制御弁の上記第２ポートが向いている方向とが略平行になるように、ケーシング内に第１,第２制御弁が夫々配置されていることによって、第１,第２制御弁の夫々の第２ポートに連なる第２パイプ部が占めるスペースをより小さくできる。
【００３５】
また、一実施形態の空気調和機の室内機によれば、上記第１,第２制御弁の夫々に接続された第１パイプ部が、第１ポートの近傍部分から第１制御弁の第１ポートが向いている方向に対して略直角な方向に屈曲した屈曲部分を有することによって、第１,第２制御弁の夫々の第１ポートに接続される第１パイプ部の屈曲部分とそれに続く部分を、室内熱交換器の一側方の限られたスペースに容易に配設できる。
【００３６】
また、一実施形態の空気調和機の室内機によれば、上記第１制御弁に接続された第１パイプ部の屈曲部分からさらに延びる延長部分と上記第２制御弁に接続された第１パイプ部の屈曲部分からさらに延びる延長部分とは、逆方向かつ内側に向いているが、同一直線上になくて、第１制御弁に接続された第１パイプ部と第２制御弁に接続された第１パイプ部とが互いに干渉しないようにすることによって、第１,第２制御弁の夫々の第１ポートに接続される第１パイプ部の屈曲部分とその屈曲部分からさらに延びる延長部分を近接させることが可能となり、全体に占めるスペースをより小さくできる。
【００３７】
また、一実施形態の空気調和機の室内機によれば、上記第１制御弁の第１パイプ部の屈曲部分からさらに延びる延長部分と、上記第２制御弁の第１パイプ部の屈曲部分からさらに延びる延長部分とが略平行になるようにすることによって、第１,第２制御弁の夫々の第１パイプ部が占めるスペースをより小さくできる。
【００３８】
また、一実施形態の空気調和機の室内機によれば、上記第１制御弁の駆動部によって駆動される弁体の駆動方向と、上記第２制御弁の駆動部によって駆動される弁体の駆動方向が略平行になるようにすることによって、第１,第２制御弁の夫々の本体(駆動部,弁体を含む)を近接させることで、全体に占めるスペースをより小さくできる。
【００３９】
また、一実施形態の空気調和機の室内機によれば、上記ケーシングの据付状態における正面視の前後方向に沿って、第１,第２制御弁をケーシング内に配列することによって、室内熱交換器の一側方の限られたスペースを有効に利用して２つの第１,第２制御弁を配置することができる。
【発明を実施するための最良の形態】
【００４０】
以下、この発明の空気調和機の室内機を図示の実施の形態により詳細に説明する。
【００４１】
図１はこの発明の実施の一形態の空気調和機の室内機と室外機の回路図であり、１は室外機、２は室内機である。この実施の形態の空気調和機の室外機１は、図１に示すように、圧縮機１０と、四路弁１１と、室外熱交換器１２と、電動膨張弁１３と、フィルタ１４と、閉鎖弁１５,１９と、アキュムレータ２０と、室外ファン２１とを有している。また、室内機２は、第１熱交換部１６と、第１,第２制御弁の一例としての第１,第２電磁弁１７Ａ,１７Ｂと、第２熱交換部１８と、室内ファン２２とを有している。上記第１,第２電磁弁１７Ａ,１７Ｂは、閉動作において全閉状態とはならず、所定の開口面積を有する絞りを有し、減圧手段として機能する。
【００４２】
上記圧縮機１０の吐出側に一端を四路弁１１の一端に接続し、上記四路弁１１の他端を室外熱交換器１２の一端に接続している。上記室外熱交換器１２の他端に電動膨張弁１３の一端を接続し、上記電動膨張弁１３の他端にフィルタ１４の一端を接続する。また、上記フィルタ１４の他端に閉鎖弁１５の一端を接続し、上記閉鎖弁１５の他端に連絡配管Ｌ１を介して第１熱交換部１６の一端を接続している。上記第１熱交換部１６の他端に第１,第２電磁弁１７Ａ,１７Ｂの一端を夫々接続し、上記第１,第２電磁弁１７Ａ,１７Ｂの他端を第２熱交換部１８の一端に夫々接続している。上記第２熱交換部１８の他端に連絡配管Ｌ２を介して閉鎖弁１９の一端を接続し、その閉鎖弁１９の他端を四路弁１１とアキュムレータ２０を介して圧縮機１０の吸込側に接続している。
【００４３】
上記圧縮機１０、四路弁１１、室外熱交換器１２、電動膨張弁１３、フィルタ１４、閉鎖弁１５、第１熱交換部１６、第１電磁弁１７Ａ、第２電磁弁１７Ｂ、第２熱交換部１８、閉鎖弁１９およびアキュムレータ２０で冷媒回路を形成している。
【００４４】
上記構成の空気調和機において、冷房運転を行う場合、四路弁１１を実線の位置に切り換えて、電動膨張弁１３を所定開度に開くと共に、第１,第２電磁弁１７Ａ,１７Ｂを開状態した後、圧縮機１０の運転を開始する。そうすると、上記圧縮機１０から吐出された高温高圧のガス冷媒が室外熱交換器１２において外気との熱交換により凝縮する。その後、電動膨張弁１３により膨張して低温低圧となった液冷媒がフィルタ１４,閉鎖弁１５および連絡配管Ｌ１を介して第１,第２熱交換部１６,１８に流入し、第１,第２熱交換部１６,１８に流入した液冷媒は、室内空気との熱交換により蒸発して室内を冷房する。次に、第１,第２熱交換部１６,１８で蒸発したガス冷媒は、連絡配管Ｌ２,閉鎖弁１９,四路弁１１およびアキュムレータ２０を介して圧縮機１０の吸込側に戻る。
【００４５】
一方、暖房運転を行う場合は、四路弁１１を点線の位置に切り換えて、冷房運転時と同様に、電動膨張弁１３を所定開度に開くと共に、第１,第２電磁弁１７Ａ,１７Ｂを開状態した後、圧縮機１０の運転を開始する。以下、冷房運転時の冷凍サイクルとは逆のサイクルで室内を暖房する。
【００４６】
次に、再熱除湿運転を行う場合、四路弁１１を実線の位置に切り換えて、電動膨張弁１３を全開する共に、第１,第２電磁弁１７Ａ,１７Ｂを閉じて所定開口面積の絞り状態にした後、圧縮機１０の運転を開始する。そうすると、上記圧縮機１０から吐出された高温高圧のガス冷媒が室外熱交換器１２および第１熱交換部１６において外気との熱交換により凝縮する。その後、第１,第２電磁弁１７Ａ,１７Ｂにより膨張して低温低圧となった液冷媒が第２熱交換部１８に流入し、第２熱交換部１８に流入した液冷媒は、室内空気との熱交換により蒸発する。次に、第２熱交換部１８で蒸発したガス冷媒は、連絡配管Ｌ２,閉鎖弁１９,四路弁１１およびアキュムレータ２０を介して圧縮機１０の吸込側に戻る。
【００４７】
このようにして、再熱除湿運転では、室内機２において凝縮器として働く第１熱交換部１６で室内空気を暖めつつ、蒸発器として働く第２熱交換部１８で冷却することにより、室内温度を下げることなく除湿を行う。
【００４８】
図２は上記空気調和機の室内機２の斜視図を示している。
【００４９】
上記空気調和機の室内機２は、図２に示すように、底フレーム３と、底フレーム３の前面側に取り外し自在に取り付けられた前面パネル４とを備えている。上記底フレーム３と前面パネル４でケーシングを構成している。上記底フレーム３の前面側に、第２熱交換部１８(図２では１８Ａ,１８Ｂ)を配置し、その第２熱交換部１８の後面側に、断面略くの字形状の第１熱交換部１６(図２では１６Ａ,１６Ｂ)を配置している。上記第１熱交換部１６と第２熱交換部１８で室内熱交換器を構成している。そして、上記室内熱交換器の右側側方に電装品箱２５を配置している。上記室内熱交換器と電装品箱２５との間の配管スペースに電磁弁アセンブリ３０を配設している。
【００５０】
次に、上記電磁弁アセンブリ３０について図３〜図６に従って説明する。
【００５１】
図３〜図６は上記電磁弁アセンブリ３０の正面図,右側面図,左側面図および上面図を夫々示している。
【００５２】
図３〜図６に示すように、上記電磁弁アセンブリ３０は、第１電磁弁１７Ａと、第２電磁弁１７Ｂと、第１分流器３３と、第２分流器４３を有している。
【００５３】
上記第１,第２電磁弁１７Ａ,１７Ｂは、図４の右下側の円で囲まれた要部拡大図に示すように、弁体５２を収納する弁体収納部６１bと駆動部の一例としてのプランジャ５１を収納するプランジャ収納部６１aからなるハウジング６１と、上記プランジャ５１を駆動して弁体５２を作動させるソレノイドコイル６４と、上記ハウジング６１に設けられ、弁体５２により開閉する通路６１cと、上記通路６１cの一端の第１ポート６５に接続された第１パイプ部６２と、上記第１パイプ部６２と略直交するように通路６１cの他端の第２ポート６６に接続された第２パイプ部６３とを夫々有する。上記弁体５２は、第１パイプ部６２と第２パイプ部６３との交差領域にあり、プランジャ５１は、第１パイプ部６２の延長方向に沿って弁体５２を駆動する。上記プランジャ５１,弁体５２およびハウジング６１で、弁体５２とプランジャ５１の配列方向に長い形状の弁本体を構成している。
【００５４】
上記第１,第２電磁弁１７Ａ,１７Ｂの夫々において、プランジャ５１と弁体５２および第１パイプ部の接続部を直線状に配列している。また、第１制御弁１７Ａ側のプランジャ５１と弁体５２および第１パイプ部６２の接続部の配列方向と、第２制御弁１７Ｂ側のプランジャ５１と弁体５２および第１パイプ部６２の接続部の配列方向とが略平行になるように、第１,第２電磁弁１７Ａ,１７Ｂを夫々配置している。さらに、上記第１制御弁１７Ａの第２パイプ部６３が第２制御弁１７Ｂ側に向かって延び、第２制御弁１７Ｂの第２パイプ部６３が、第１制御弁１７Ａの第２パイプ部６３に当たらないように第１制御弁１７Ａ側に向かって延びている。
【００５５】
そして、上記第１制御弁１７Ａの第１パイプ部６２の一端をパイプ３２の一端に接続し、パイプ３２の他端を第１分流器３３の第１ポートに接続している。上記第１分流器３３は、例えば、入口側の第１ポートから流入する冷媒が分流されて、出口側の第２,第３ポートから流出する(冷媒の流れる方向が逆の場合は合流器として働く)。上記第１分流器３３の第２ポートをパイプ３４を介して第２熱交換部１８の伝熱管(図示せず)に接続し、第１分流器３３の第３ポートをパイプ３５を介して第２熱交換部１８の伝熱管(図示せず)に接続している。上記パイプ３５に温度サーミスタ５０を取り付けている。また、上記第１制御弁１７Ａの第２パイプ部６３の一端をパイプ３１を介して第１熱交換部１６の伝熱管(図示せず)に接続している。
【００５６】
また、上記第２制御弁１７Ｂの第１パイプ部６２の一端をパイプ４２の一端に接続し、パイプ４２の他端を第２分流器４３の第１ポートに接続している。上記第２分流器４３は、例えば、入口側の第１ポートから流入する冷媒が分流されて、出口側の第２,第３ポートから流出する(冷媒の流れる方向が逆の場合は合流器として働く)。上記第２分流器４３の第２ポートをパイプ４４を介して第２熱交換部１８の伝熱管(図示せず)に接続し、第２分流器４３の第３ポートをパイプ４５を介して第２熱交換部１８の伝熱管(図示せず)に接続している。また、上記第２制御弁１７Ｂの第２パイプ部６３の一端をパイプ４１を介して第１熱交換部１６の伝熱管(図示せず)に接続している。
【００５７】
なお、上記電磁弁アセンブリ３０の第１,第２電磁弁１７Ａ,１７Ｂの周囲の配管部分を、ブチルゴムテープやパテを用いた被覆部７１で覆うことによって、第１,第２電磁弁１７Ａ,１７Ｂ間を固定している。また、第１,第２分流器３３,４３を、ブチルゴムテープやパテを用いた被覆部７２で覆っている。
【００５８】
上記構成の空気調和機の室内機２によれば、ケーシング(３,４)内かつ室内熱交換器(１６,１８)の一側方に２つの第１,第２電磁弁１７Ａ,１７Ｂを配置することによって、制御弁を風通路に配置することなく熱交換効率の低下を防止できると共に、ケーシング(３,４)の小型化を図ることができる。
【００５９】
また、上記第１熱交換部１６と第２熱交換部１８との間を接続する配管に夫々配設された第１,第２電磁弁１７Ａ,１７Ｂを開閉することによって、第１熱交換部１６と第２熱交換部１８の冷媒の流れを制御することができる。この実施の形態では、第１熱交換部１６と第２熱交換部１８との間で第１,第２電磁弁１７Ａ,１７Ｂにより減圧することにより、再熱除湿運転を可能としている。
【００６０】
また、互いに略直交する方向に向いた第１ポート６５および第２ポート６６と、第１ポート６５と第２ポート６６との間にある弁体５２と、第１ポート６５の向いた方向と逆方向に延びて弁体５２を駆動するプランジャ５１とを有すると共に、上記プランジャ５１,弁体５２およびハウジング６１で構成された弁本体と、第１ポート６５に連なる第１パイプ部６２の第１ポート６５の近傍部分と、第２ポート６６に連なる第２パイプ部６３の第２ポート６６の近傍部分とが略Ｔ字形状の第１,第２電磁弁１７Ａ,１７Ｂを用いることによって、同一方向に向いた第１,第２ポート６５,６６を設けた場合に比べて第１,第２電磁弁１７Ａ,１７Ｂに接続する配管の自由度を広げることができる。
【００６１】
また、上記第１電磁弁１７Ａの第２ポート６６と第２電磁弁１７Ｂの第２ポート６６とは、逆方向かつ内側に向いているが、同一直線上になくて、第１電磁弁１７Ａに接続された第２パイプ部６３と第２電磁弁１７Ｂに接続された第２パイプ部６３とが互いに干渉しないようにすることによって、第１,第２電磁弁１７Ａ,１７Ｂの夫々の第２ポート６６に連なる第２パイプ部６３同士を近接させることが可能となり、全体に占めるスペースをより小さくすることができる。
【００６２】
また、上記第１電磁弁１７Ａの第２ポート６６が向いている方向と、第２電磁弁１７Ｂの第２ポート６６が向いている方向とが略平行になるように、ケーシング(３,４)内に第１,第２電磁弁１７Ａ,１７Ｂが夫々配置されていることによって、第１,第２電磁弁１７Ａ,１７Ｂの夫々の第２ポート６６に接続される第２パイプ部６３が占めるスペースを小さくすることができる。また、上記第１電磁弁１７Ａの第２ポート６６に接続された第２パイプ部６３と、第２電磁弁１７Ｂの第２ポート６６に接続された第２パイプ部６３とが略平行になっている。
【００６３】
また、上記第１,第２電磁弁１７Ａ,１７Ｂの夫々に接続された第１パイプ部６２が、第１ポート６５の近傍部分から第１電磁弁１７Ａの第１ポート６５が向いている方向に対して略直角な方向に屈曲した屈曲部分を有することによって、第１,第２電磁弁１７Ａ,１７Ｂの夫々の第１ポート６５に接続される第１パイプ部６２の屈曲部分とそれに続く部分を、室内熱交換器(１６,１８)の一側方の限られたスペースに容易に配設することができる。
【００６４】
また、上記第１電磁弁１７Ａに接続された第１パイプ部６２の屈曲部分からさらに延びる延長部分と、第２電磁弁１７Ｂに接続された第１パイプ部６２の屈曲部分からさらに延びる延長部分とは、逆方向かつ内側に向いているが、同一直線上になくて、第１電磁弁１７Ａに接続された第１パイプ部６２と第２電磁弁１７Ｂに接続された第１パイプ部６２とが互いに干渉しないようにすることによって、第１,第２電磁弁１７Ａ,１７Ｂの夫々の第１ポート６５に接続される第１パイプ部６２の屈曲部分とその屈曲部分からさらに延びる延長部分を近接させることが可能となり、全体に占めるスペースをより小さくできる。
【００６５】
また、上記第１電磁弁１７Ａの第１パイプ部６２の屈曲部分からさらに延びる延長部分と、第２電磁弁１７Ｂの第１パイプ部６２の屈曲部分からさらに延びる延長部分とが略平行になるようにすることによって、第１,第２電磁弁１７Ａ,１７Ｂの夫々の第１パイプ部６２が占めるスペースを小さくすることができる。
【００６６】
また、上記第１電磁弁１７Ａのプランジャ５１によって駆動される弁体５２の駆動方向と、第２電磁弁１７Ｂのプランジャ５１によって駆動される弁体５２の駆動方向が略平行になるようにすることによって、第１,第２電磁弁１７Ａ,１７Ｂの夫々の弁本体(プランジャ５１,弁体５２およびハウジング６１を含む)同士を近接させて、全体に占めるスペースをより小さくできる。
【００６７】
また、上記ケーシング(３,４)の据付状態における正面視の前後方向に沿って、第１,第２電磁弁１７Ａ,１７Ｂをケーシング(３,４)内に配列することによって、室内熱交換器の一側方の限られたスペースを有効に利用して２つの第１,第２電磁弁１７Ａ,１７Ｂを配置することができる。
【００６８】
また、従来の第１,第２熱交換部間に電磁弁が１つ配設されたものでは、冷房運転(または暖房運転)において、電磁弁を全開にして第１,第２熱交換部を蒸発器(または凝縮器)として働かせる場合、圧力損失が問題となる。これに対して、この実施の形態の空気調和機の室内機では、第１,第２熱交換部１６,１８間に２つの第１,第２電磁弁１７Ａ,１７Ｂを配設することにより、圧力損失を低減して、能力低下を防ぐことができる。
【００６９】
上記実施の形態では、第１,第２制御弁の一例として膨張弁である第１,第２電磁弁１７Ａ,１７Ｂを用いた空気調和機の室内機について説明したが、第１,第２制御弁はこれに限らず、開閉弁などの他の制御弁であってもよい。
【００７０】
また、上記実施の形態では、第１,第２制御弁の一例として第１,第２電磁弁１７Ａ,１７Ｂが熱交換効率の低下を防止された空気調和機の室内機について説明したが、室内熱交換器の側方に２以上の制御弁が配置された空気調和機の室内機にこの発明を適用してもよい。
【００７１】
さらに、上記実施の形態では、第１,第２電磁弁１７Ａ,１７Ｂを両方同時に動作させたが、この発明の空気調和機の室内機は、第１,第２制御弁の一方を開いて他方を閉じる動作を行ってもよい。この場合、第１,第２制御弁の下流側の熱交換部の冷媒流れを偏らせる。
【図面の簡単な説明】
【００７２】
【図１】図１はこの発明の実施の一形態の空気調和機の室内機と室外機の回路図である。
【図２】図２は上記空気調和機の室内機の斜視図である。
【図３】図３は上記室内機の電磁弁アセンブリの正面図である。
【図４】図４は上記室内機の電磁弁アセンブリの右側面図である。
【図５】図５は上記室内機の電磁弁アセンブリの左側面図である。
【図６】図６は上記室内機の電磁弁アセンブリの上面図である。
【符号の説明】
【００７３】
１…室外機
２…室内機
３…底フレーム
４…前面パネル
１０…圧縮機
１１…四路弁
１２…室外熱交換器
１３…電動膨張弁
１４…フィルタ
１５,１９…閉鎖弁
１６,１６Ａ,１６Ｂ…第１熱交換部
１７Ａ…第１電磁弁
１７Ｂ…第２電磁弁
１８,１８Ａ,１８Ｂ…第２熱交換部
２０…アキュムレータ
２１…室外ファン
２２…室内ファン
２５…電装品箱
３０…電磁弁アセンブリ
３１〜３５,４１〜４５…パイプ
３３…第１分流器
４３…第２分流器
５０…温度サーミスタ
５１…プランジャ
５２…弁体
６１…ハウジング
６１a…プランジャ収納部
６１b…弁体収納部
６１c…通路
６２…第１パイプ部
６３…第２パイプ部
６４…ソレノイドコイル
６５…第１ポート
６６…第２ポート
【図１】
2007147216.tif 000003
【図２】
2007147216.tif 000004
【図３】
2007147216.tif 000005
【図４】
2007147216.tif 000006
【図５】
2007147216.tif 000007
【図６】
2007147216.tif 000008